(57)【要約】      （修正有）【課題】設定された用紙サイズと実際の用紙サイズとが不一致であっても、複数ページ印刷したときに用紙サイズが統一され、扱い易く見栄えも良い印字物を提供することができる画像形成装置等を提供する。【解決手段】用紙収容部、用紙収容部に収容された用紙を搬送する用紙搬送手段、印字手段を備える。複数ページの印字データが印字されるジョブについて印字される用紙のサイズを設定し、実際の用紙のサイズを印字前に検出する。設定された用紙サイズと検出された実際の用紙サイズを比較し、設定された用紙サイズと実際の用紙サイズが不一致の場合、実際の用紙サイズが印字データの全ページについて統一されているかを判定する。制御部は、統一されていると判定された場合は印字動作を継続させ、統一されていないと判定された場合は印字動作を停止させる。【選択図】図３
2018069694.tif 000002
【特許請求の範囲】
【請求項１】
用紙収容部と、
前記用紙収容部に収容された用紙を搬送する用紙搬送手段と、
印字手段と、
複数ページの印字データが印字されるジョブについて、印字データが印字される用紙のサイズを設定する用紙サイズ設定手段と、
前記用紙搬送手段により搬送され、印字データが印字される実際の用紙のサイズを、前記印字手段による印字前に検出する用紙サイズ検出手段と、
前記用紙サイズ設定手段により設定された用紙のサイズと、前記用紙サイズ検出手段により検出された実際の用紙のサイズを比較する比較手段と、
前記比較手段による比較の結果、設定された用紙のサイズと実際の用紙のサイズが不一致の場合、前記用紙搬送手段により搬送される実際の用紙のサイズが、印字データの全ページについて統一されているかどうかを判定する判定手段と、
前記判定手段により、実際の用紙のサイズが統一されていると判定された場合は前記印字手段による印字動作を継続させ、統一されていないと判定された場合は印字動作を停止させる制御手段と、
を備えたことを特徴とする画像形成装置。
【請求項２】
表示手段を備え、
前記制御手段は、実際の用紙のサイズが統一されていないため印字動作を停止させたときは、前記用紙収容部へ正しいサイズの用紙を収容することを促す表示を前記表示手段に表示させる請求項１に記載の画像形成装置。
【請求項３】
表示手段を備え、
前記制御手段は、実際の用紙のサイズが統一されているため印字動作を継続させて印字データの全ページの印字を終了したときは、前記用紙収容部へ正しいサイズの用紙を収容することを促す表示を前記表示手段に表示させる請求項１または２に記載の画像形成装置。
【請求項４】
前記制御手段は、実際の用紙のサイズが統一されているため印字動作を継続させて印字データの全ページの印字を終了したときに、未印字の次の部が残っている場合は、前記用紙サイズ設定手段により設定された用紙のサイズを、比較手段により不一致が検出されたときの実際の用紙のサイズで書き換えた後、印字動作を再開させる請求項１〜３のいずれかに記載の画像形成装置。
【請求項５】
前記判定手段により、実際の用紙のサイズが統一されていると判定された場合は前記印字手段による印字動作を継続させ、統一されていないと判定された場合は印字動作を停止させる制御を、前記制御手段に行わせるかどうかをユーザーが設定可能な請求項１〜４のいずれかに記載の画像形成装置。
【請求項６】
前記比較手段による比較の結果、設定された用紙のサイズよりも実際の用紙のサイズが小さい場合は、前記制御手段は印字動作を停止させる請求項１〜５のいずれかに記載の画像形成装置。
【請求項７】
用紙収容部と、前記用紙収容部に収容された用紙を搬送する用紙搬送手段と、印字手段と、を備えた画像形成装置が、
複数ページの印字データが印字されるジョブについて、印字データが印字される用紙のサイズを設定する用紙サイズ設定ステップと、
前記用紙搬送手段により搬送され、印字データが印字される実際の用紙のサイズを、前記印字手段による印字前に検出する用紙サイズ検出ステップと、
前記用紙サイズ設定ステップにより設定された用紙のサイズと、前記用紙サイズ検出ステップにより検出された実際の用紙のサイズを比較する比較ステップと、
前記比較ステップによる比較の結果、設定された用紙のサイズと実際の用紙のサイズが不一致の場合、前記用紙搬送手段により搬送される実際の用紙のサイズが、印字データの全ページについて統一されているかどうかを判定する判定ステップと、
前記判定ステップにより、実際の用紙のサイズが統一されていると判定された場合は前記印字手段による印字動作を継続させ、統一されていないと判定された場合は印字動作を停止させる制御ステップと、
を実行することを特徴とする印字制御方法。
【請求項８】
用紙収容部と、前記用紙収容部に収容された用紙を搬送する用紙搬送手段と、印字手段と、を備えた画像形成装置のコンピュータに、
複数ページの印字データに対して用紙のサイズを設定する用紙サイズ設定ステップと、
前記用紙搬送手段により搬送され、印字データが印字される実際の用紙のサイズを、前記印字手段による印字前に検出する用紙サイズ検出ステップと、
前記用紙サイズ設定ステップにより設定された用紙のサイズと、前記用紙サイズ検出ステップにより検出された実際の用紙のサイズを比較する比較ステップと、
前記比較ステップによる比較の結果、設定された用紙のサイズと実際の用紙のサイズが不一致の場合、前記用紙搬送手段により搬送される実際の用紙のサイズが、印字データの全ページについて統一されているかどうかを判定する判定ステップと、
前記判定ステップにより、実際の用紙のサイズが統一されていると判定された場合は前記印字手段による印字動作を継続させ、統一されていないと判定された場合は印字動作を停止させる制御ステップと、
を実行させるための印字制御プログラム。
【発明の詳細な説明】
【技術分野】
【０００１】
この発明は、プリンタ等の画像形成装置、同装置で実行される印字制御方法及び印字制御プログラムに関する。
【背景技術】
【０００２】
画像形成装置で印字を行う場合、ユーザーは操作パネルや端末装置等で用紙サイズを設定すると共に、給紙トレイに用紙をセットして印字を開始する。この場合、ユーザーがサイズを設定し忘れたり、間違って設定したり、あるいは給紙トレイへ間違ったサイズの用紙をセットした状態で印字を開始すると、一般的には、サイズエラーが検知されてそれ以降の給紙は停止され、給紙済みの用紙は機外へ排出され、その後動作は停止される。印字動作を再開するには、操作パネル等でのサイズ設定をし直したり、給紙トレイへ正しいサイズの用紙をセットし直す必要がある。
【０００３】
しかし、サイズエラーを検知したときに毎回動作を停止すると、間違った用紙サイズであっても印字ができれば良いというユーザーにとっては、画像形成装置の停止時間が長くなり、使い勝手が良くないという課題がある。
【０００４】
この課題を解決するためには、サイズエラーを検知しても印字を継続するようにすればよいが、単にサイズエラーを無視して印字を継続するだけでは、印字データが複数ページあるような場合は、用紙サイズが不揃いで扱いづらい印字物となり、見栄えも良くないという課題がある。
【０００５】
なお、特許文献１には、手差しトレイから給紙した用紙がサイズエラーである場合に、プリントすべき次ページがあるかどうかを判断し、無い場合はサイズエラーを無視して処理を終了し、ある場合は現用紙を正常として用紙サイズ設定オペレーションへ移行する手差し機能付き記録装置が開示されている。
【０００６】
また、特許文献２には、サイズエラーを検知しても無視するかどうかをユーザが予め設定しておくとともに、サイズエラー検知時にサイズエラーを無視する設定がされているかどうかを判断し、サイズエラーを無視する設定がされていれば画像形成動作を続行し、サイズエラーを無視する設定がされていなければ画像形成動作を中止する画像形成装置が開示されている。
【先行技術文献】
【特許文献】
【０００７】
【特許文献１】特開２００５−１９３４５６号公報
【特許文献２】特開２００３−９５４８２号公報
【発明の概要】
【発明が解決しようとする課題】
【０００８】
しかしながら、特許文献１では、手差しトレイから給紙した用紙がサイズエラーである場合に、プリントすべき次ページがあれば現用紙を正常として用紙サイズを設定し印字が行われるため、印字データが複数ページの場合に異なる用紙サイズのものが混在する恐れがあり、用紙サイズが不揃いで扱いづらい印字物となり、見栄えも良くないという課題を解決することはできない。
【０００９】
また、特許文献２では、サイズエラー検知時にサイズエラーを無視する設定がされていれば画像形成動作が続行されるから、特許文献１と同様に、印字データが複数ページの場合に異なる用紙サイズのものが混在する恐れがあり、用紙サイズが不揃いで扱いづらい印字物となり、見栄えも良くないという課題をやはり解決することはできない。
【００１０】
この発明は、このような技術的背景に鑑みてなされたものであって、設定された用紙サイズと実際の用紙サイズとが不一致であっても、複数ページ印刷したときに用紙サイズが統一され、扱い易く見栄えも良い印字物を提供することができる画像形成装置、同装置で実行される印字制御方法及び印字制御プログラムを提供することを課題とする。
【課題を解決するための手段】
【００１１】
上記課題は、以下の手段によって解決される。
（１）用紙収容部と、前記用紙収容部に収容された用紙を搬送する用紙搬送手段と、印字手段と、複数ページの印字データが印字されるジョブについて、印字データが印字される用紙のサイズを設定する用紙サイズ設定手段と、前記用紙搬送手段により搬送され、印字データが印字される実際の用紙のサイズを、前記印字手段による印字前に検出する用紙サイズ検出手段と、前記用紙サイズ設定手段により設定された用紙のサイズと、前記用紙サイズ検出手段により検出された実際の用紙のサイズを比較する比較手段と、前記比較手段による比較の結果、設定された用紙のサイズと実際の用紙のサイズが不一致の場合、前記用紙搬送手段により搬送される実際の用紙のサイズが、印字データの全ページについて統一されているかどうかを判定する判定手段と、前記判定手段により、実際の用紙のサイズが統一されていると判定された場合は前記印字手段による印字動作を継続させ、統一されていないと判定された場合は印字動作を停止させる制御手段と、を備えたことを特徴とする画像形成装置。
（２）表示手段を備え、前記制御手段は、実際の用紙のサイズが統一されていないため印字動作を停止させたときは、前記用紙収容部へ正しいサイズの用紙を収容することを促す表示を前記表示手段に表示させる前項１に記載の画像形成装置。
（３）表示手段を備え、前記制御手段は、実際の用紙のサイズが統一されているため印字動作を継続させて印字データの全ページの印字を終了したときは、前記用紙収容部へ正しいサイズの用紙を収容することを促す表示を前記表示手段に表示させる前項１または２に記載の画像形成装置。
（４）前記制御手段は、実際の用紙のサイズが統一されているため印字動作を継続させて印字データの全ページの印字を終了したときに、未印字の次の部が残っている場合は、前記用紙サイズ設定手段により設定された用紙のサイズを、比較手段により不一致が検出されたときの実際の用紙のサイズで書き換えた後、印字動作を再開させる前項１〜３のいずれかに記載の画像形成装置。
（５）前記判定手段により、実際の用紙のサイズが統一されていると判定された場合は前記印字手段による印字動作を継続させ、統一されていないと判定された場合は印字動作を停止させる制御を、前記制御手段に行わせるかどうかをユーザーが設定可能な前項１〜４のいずれかに記載の画像形成装置。
（６）前記比較手段による比較の結果、設定された用紙のサイズよりも実際の用紙のサイズが小さい場合は、前記制御手段は印字動作を停止させる前項１〜５のいずれかに記載の画像形成装置。
（７）用紙収容部と、前記用紙収容部に収容された用紙を搬送する用紙搬送手段と、印字手段と、を備えた画像形成装置が、複数ページの印字データが印字されるジョブについて、印字データが印字される用紙のサイズを設定する用紙サイズ設定ステップと、前記用紙搬送手段により搬送され、印字データが印字される実際の用紙のサイズを、前記印字手段による印字前に検出する用紙サイズ検出ステップと、前記用紙サイズ設定ステップにより設定された用紙のサイズと、前記用紙サイズ検出ステップにより検出された実際の用紙のサイズを比較する比較ステップと、前記比較ステップによる比較の結果、設定された用紙のサイズと実際の用紙のサイズが不一致の場合、前記用紙搬送手段により搬送される実際の用紙のサイズが、印字データの全ページについて統一されているかどうかを判定する判定ステップと、前記判定ステップにより、実際の用紙のサイズが統一されていると判定された場合は前記印字手段による印字動作を継続させ、統一されていないと判定された場合は印字動作を停止させる制御ステップと、を実行することを特徴とする印字制御方法。
（８）用紙収容部と、前記用紙収容部に収容された用紙を搬送する用紙搬送手段と、印字手段と、を備えた画像形成装置のコンピュータに、複数ページの印字データに対して用紙のサイズを設定する用紙サイズ設定ステップと、前記用紙搬送手段により搬送され、印字データが印字される実際の用紙のサイズを、前記印字手段による印字前に検出する用紙サイズ検出ステップと、前記用紙サイズ設定ステップにより設定された用紙のサイズと、前記用紙サイズ検出ステップにより検出された実際の用紙のサイズを比較する比較ステップと、前記比較ステップによる比較の結果、設定された用紙のサイズと実際の用紙のサイズが不一致の場合、前記用紙搬送手段により搬送される実際の用紙のサイズが、印字データの全ページについて統一されているかどうかを判定する判定ステップと、前記判定ステップにより、実際の用紙のサイズが統一されていると判定された場合は前記印字手段による印字動作を継続させ、統一されていないと判定された場合は印字動作を停止させる制御ステップと、を実行させるための印字制御プログラム。
【発明の効果】
【００１２】
前項（１）に記載の発明によれば、複数ページからなる印字データが印字される用紙のサイズが設定される。一方、用紙搬送手段により搬送され、印字データが印字される実際の用紙のサイズが印字前に検出される。そして、設定された用紙のサイズと、検出された実際の用紙のサイズが比較され、両サイズが不一致の場合は、実際の用紙のサイズが印字データの全ページについて統一されているかどうかが判定される。統一されていると判定された場合は印字動作が継続され、統一されていないと判定された場合は印字動作は停止する。
【００１３】
つまり、設定された用紙サイズと実際の用紙のサイズとが不一致（サイズエラー）であっても、実際に印字される用紙のサイズが印字データの全ページについて統一されていれば印字が行われるから、得られた印字物の用紙サイズは統一されることになる。その結果、サイズが揃って扱い易く見栄えも良い印字物を提供することができる。
【００１４】
前項（２）に記載の発明によれば、実際の用紙のサイズが統一されていないため印字動作が停止したときは、用紙収容部に正しいサイズの用紙を収容することを促す表示が表示手段に表示されるから、ユーザーはサイズエラーがあったことを容易に認識してこれを解消することができる。
【００１５】
前項（３）に記載の発明によれば、実際の用紙のサイズが統一されているため印字動作が継続して全ページの印字が終了したときは、用紙収容部に正しいサイズの用紙を収容することを促す表示が表示手段に表示されるから、複数部数の印字を行う場合に１部目の印字が終了したときに、ユーザーはサイズエラーがあったことを容易に認識してこれを解消することができる。
【００１６】
前項（４）に記載の発明によれば、実際の用紙のサイズが統一されているため印字動作を継続させて印字データの全ページの印字を終了したときに、未印字の次の部が残っている場合は、設定された用紙のサイズが不一致が検出されたときの実際の用紙のサイズで書き換えられて、印字動作が再開されるから、サイズエラーを自動的に修正して適正な印字を行うことができる。
【００１７】
前項（５）に記載の発明によれば、実際の用紙のサイズが統一されていると判定された場合は印字動作を継続させ、統一されていないと判定された場合は印字動作を停止させる制御を行わせるかどうかを、ユーザーが設定することができる。
【００１８】
前項（６）に記載の発明によれば、設定された用紙のサイズよりも実際の用紙のサイズが小さい場合は、ユーザーが誤って小さいサイズの用紙を用紙収容部にセットした可能性があり、印字データを用紙に印字しきれない恐れがあることから、印字動作を停止させることで、これを未然に回避することができる。
【００１９】
前項（７）に記載の発明によれば、設定された用紙サイズと実際の用紙のサイズとが不一致（サイズエラー）であっても、実際に印字される用紙のサイズが印字データの全ページについて統一されていれば印字が行われるから、得られた印字物の用紙サイズは統一されることになる。その結果、扱い易く見栄えも良い印字物を提供することができる。
【００２０】
前項（８）に記載の発明によれば、設定された用紙サイズと実際の用紙のサイズとが不一致（サイズエラー）であっても、実際に印字される用紙のサイズが印字データの全ページについて統一されていれば印字を行う処理を、画像形成装置のコンピュータに実行させることができる。
【図面の簡単な説明】
【００２１】
【図１】この発明の一実施形態に係る画像形成装置１の内部の概略構成を示す図である。
【図２】画像形成装置の電気的な構成を示すブロック図である。
【図３】複数ページの印字データが印字されるジョブの実行に際し、ユーザーが設定した用紙のサイズと、実際に印字される用紙のサイズとに不一致（サイズエラー）が生じた場合の画像形成装置の動作を説明するためのフローチャートである。
【図４】複数ページの印字データが印字されるジョブの実行に際し、ユーザーが設定した用紙のサイズと、実際に印字される用紙のサイズとに不一致（サイズエラー）が生じた場合の画像形成装置の別の動作を説明するためのフローチャートである。
【図５】さらに別の動作を説明するためのフローチャートである。
【図６】さらに別の動作を説明するためのフローチャートである。
【図７】さらに別の動作を説明するためのフローチャートである。
【発明を実施するための形態】
【００２２】
以下、この発明の実施形態を図面に基づいて説明する。
【００２３】
図１は、この発明の一実施形態に係る画像形成装置１の内部の概略構成を示す図である。
【００２４】
画像形成装置１は、プリンタ（エンジン）部２０とスキャナ部４０等を備えており、これらは周知の構成であるから、以下においては、それらの概要を動作とともに説明する。
【００２５】
前記プリンタ部２０は、画像コントローラ（図示せず）からの印字開始要求があると、用紙収容部である給紙力セット１５ａ〜１５ｄや手差しトレー７０に収容された用紙が給紙ローラ２ａ〜２ｅにより給紙され、所定位置に設けられた複数対の搬送ローラー３１により搬送路３に沿って搬送される。搬送される用紙は、搬送路３中のタイミングセンサ３０に検知された位置で待機する。搬送路３に沿う所定位置には、用紙の通過や紙詰まりを検知するための複数のセンサ６１、６２が配置されている。
【００２６】
一方、転写ベルト駆動ローラ９の駆動により、転写ベルト駆動ローラ９と対向ローラ６との間に掛設されている転写ベルト８が回転駆動される。
【００２７】
この転写ベルト８の下辺には、イエロー（Ｙ）、マゼンタ（Ｍ）、シアン（Ｃ）、ブラック（Ｋ）の各色に対応する４つの画像形成用のプロセスユニット（イメージングユニット）１１Ｙ、１１Ｍ、１１Ｃ、１１Ｋが並設されており、転写ベルト８の回転に伴って前記画像形成用のプロセスユニット１１Ｙ、１１Ｍ、１１Ｃ、１１Ｋにより、該転写ベルト８上に各色画像が形成される。なお、１３Ｙ、１３Ｍ、１３Ｃ、１３Ｋは感光体ドラム１２Ｙ、１２Ｍ、１２Ｃ、１２Ｋを露光するための露光装置である。
【００２８】
また、プロセスユニット１１Ｙ、１１Ｍ、１１Ｃ、１１Ｋの近接位置には、各プロセスユニットの色に対応するトナーを収容したトナーカートリッジ１４Ｙ、１４Ｍ、１４Ｃ、１４Ｋが配置されている。
【００２９】
転写ベルト８上に形成された画像位置が該転写ベルト８の回転に伴って２次転写ローラ５の位置に至ると、そのタイミングに合わせてタイミングローラ４により、用紙の搬送が開始され、用紙先端位置と転写ベルト８上の画像位置とが一致するように制御される。
【００３０】
転写ベルト８上の画像は、２次転写ローラ５に転写電圧を印加するこにより、画像を形成しているトナーが対向ローラ６と２次転写ローラ５を通過する用紙上に転写される。転写されたトナー画像は、定着ローラ７により用紙に定着される。定着された用紙は排紙トレー１０に排出される。
【００３１】
スキャナ部４０には、原稿の画像を読み取るためのＣＣＤや露光ランプを備えた走査ユニット（図示せず）が設けられており、原稿台としてのプラテンガラスに載せられた原稿の画像をスキャンし、原稿画像の読み取りを行う。なお、原稿搬送装置を設けこの原稿搬送装置にセットされた原稿を自動で読み取り位置へと搬送する構成としても良い。
【００３２】
前記スキャナ部４０で読み取られた原稿の画像データは、図示しないスキャナコントローラに送られ、画像コントローラにて画像処理される。処理された画像データは、操作パネル１７を利用してコピー動作が指定された場合はプリンタ部２０に出力される。また、スキャン動作が指定された場合は、所定の画像データに変換されて出力される。
【００３３】
図２は、画像形成装置１の電気的な構成を示すブロック図である。
【００３４】
ＭＦＰ１は、ＣＰＵ１１０と、ＲＯＭ１２０と、ＲＡＭ１３０と、スキャナ部４０と、記憶部１５０と、プリンタ部２０と、操作パネル１７０と、ネットワークコントローラ１８０等を備えている。
【００３５】
前記ＣＰＵ１１０は、ＭＦＰ１の全体を統括制御し、コピー機能、プリンタ機能、スキャン機能、ファクシミリ機能等の基本機能を使用可能に制御する。特にこの実施形態では、複数ページの印字に際して、ユーザーにより設定された用紙のサイズと実際の用紙のサイズを比較し、比較結果に応じて所定の処理を実行するが、詳細な説明については後述する。
【００３６】
前記ＲＯＭ１２０は、ＣＰＵ１１０の動作プログラム等を格納するメモリである。
【００３７】
前記ＲＡＭ１３０は、ＣＰＵ１１０が動作プログラムに基づいて動作する際の作業領域を提供するメモリである。
【００３８】
前記スキャナ部４０は、図１で説明したように、プラテンガラス上あるいは原稿搬送装置にセットされた原稿の画像を読み取り、画像データを出力する読み取り手段である。
【００３９】
前記記憶部１５０は、例えばハードディスクドライブ（ＨＤＤ）などの不揮発性の記憶デバイスにより構成されており、スキャナ部１４で読み取られた原稿の画像データ、ユーザー端末から送信されてきたプリントデータ等の印字データが記憶されている。
【００４０】
前記プリンタ部２０は、図１で説明したように、前記スキャナ部４０で読み取られた原稿の画像データやユーザ端末からのプリントデータ等の印字データを、指示されたモードに従って印字する印字手段ある。
【００４１】
前記操作パネル１７０は、各種入力操作等のために使用されるものであり、メッセージや操作画面等を表示するタッチパネル式液晶等からなる表示部１７１と、テンキー、スタートキー、ストップキー等を備えたキー入力部１７２を備えている。
【００４２】
前記ネットワークコントローラ１８０は、ネットワーク上の他の画像形成装置や、その他の外部機器例えばユーザ端末等との間での通信を制御することにより、データの送受信を行うものである。
【００４３】
次に、複数ページの印字データが印字されるジョブの実行に際し、ユーザーが設定した用紙のサイズと、実際に印字される用紙のサイズとに不一致（サイズエラー）が生じた場合の画像形成装置１の動作を、図３のフローチャートを参照して説明する。なお、図３のフローチャート及び図４以降のフローチャートに示される処理は、画像形成装置１のＣＰＵ１１０がＲＯＭ１２０等に格納された動作プログラムに従って動作することにより実行される。
【００４４】
給紙トレイとして例えば手差しトレー７０を使用してコピージョブを行う場合、ユーザーは手差しトレー７０に複数枚の用紙をセットしたのち、給紙トレーとして手差しトレー７０を指定し、さらにセットした用紙のサイズを操作パネル１７０により指定する。そして、プラテンガラス上あるいは原稿搬送装置に原稿をセットし、スタートボタンを押すと原稿がスキャナ部４０により読み取られて印刷が開始される。プラテンガラス上に原稿をセットする場合は、複数ページ（複数枚）の原稿を読み取りが完了する度に１枚ずつセットする。原稿搬送装置に原稿をセットする場合は、複数ページ（複数枚）の原稿を一括してセットする。なお、プリントジョブの場合は、ユーザー端末等の外部端末装置によりユーザーが用紙サイズ及び手差しトレー７０を指定するとともに、それらの情報を複数ページの印字データと共に画像形成装置１に送信すると印刷が開始される。
【００４５】
なお、画像形成装置１は、ユーザーが操作パネル１７０により指定された用紙サイズの情報、または受信したプリントジョブに含まれる用紙サイズ情報を基に、印字データに対して用紙サイズを設定する。
【００４６】
図３のステップＳ０１で印刷動作が開始されると、ステップＳ０２で、実際に印字される用紙のサイズ、つまり手差しトレー７０から給紙される用紙のサイズ（以下、実用紙サイズともいう）が検出される。実用紙サイズの検出は、限定はされないが、搬送中の用紙がセンサ６１をＯＮしている時間と用紙搬送速度とに基づいて算出することにより行われる。
【００４７】
次いでステップＳ０３では、検出された実用紙サイズと設定された用紙サイズ（以下、設定用紙サイズともいう）とを比較し、実用紙サイズと設定用紙サイズとが不一致かどうか、換言すればサイズエラーが発生しているかどうかが判断される。サイズエラーが発生していない場合（実用紙サイズと設定用紙サイズとが一致している場合）（ステップＳ０３でＮＯ）、ステップＳ０５に進む。サイズエラーが発生している場合（実用紙サイズと設定用紙サイズとが一致していない場合）は（ステップＳ０３でＹＥＳ）、ステップＳ０４で、サイズエラーフラグを「発生」にしたのち、ステップＳ０５に進む。
【００４８】
ステップＳ０５では、１ページ目の印字データに対応する１枚目の用紙か否かが判定され、一枚目の用紙でなければ（ステップＳ０５でＮＯ）、ステップＳ０７に進む。１枚目の用紙であれば（ステップＳ０５でＹＥＳ）、ステップＳ０６で、１枚目実用紙サイズを記憶したのち、ステップＳ０７に進む。
【００４９】
ステップＳ０７では、サイズエラーフラグが「発生」になっているかどうかを調べ、「発生」になっていなければ（ステップＳ０７でＮＯ）、ステップＳ０８でその用紙に印字する。次いでステップＳ０９で、その用紙がジョブの最終ページを印字する最終用紙かどうかを調べ、最終用紙でなければ（ステップＳ０９でＮＯ）、ステップＳ０２に戻り次の用紙についてステップＳ０２からの処理を繰り返す。最終用紙であれば（ステップＳ０９でＹＥＳ）、ジョブを終了したから、ステップＳ１３で印字動作を停止する。
【００５０】
ステップＳ０７でサイズエラーフラグが「発生」になっている場合は（ステップＳ０７でＹＥＳ）、ステップＳ１０で、検出した実用紙サイズが１枚目実用紙サイズと一致しているかどうかを判断する。一致していなければ（ステップＳ１０でＮＯ）、ステップＳ１３に進む。一致している場合は（ステップＳ１０でＹＥＳ）、ステップＳ１１で、その用紙に印字し、ステップＳ１２で、その用紙がジョブの最終ページを印字する最終用紙かどうかを調べ、最終用紙でなければ（ステップＳ１２でＮＯ）、ステップＳ０２に戻り次の用紙についてステップＳ０２からの処理を繰り返す。最終用紙であれば（ステップＳ１２でＹＥＳ）、ステップＳ１３に進む。
【００５１】
ステップＳ１３では、その用紙への印字を行うことなく手差しトレー７０からの以降の給紙を停止し、ステップＳ１４で画像形成装置１内の用紙を全て排出したのち、ステップ１５で印字動作を停止する。
【００５２】
このような動作により、１枚目の用紙の実用紙サイズが記憶されると共に、２枚目以降の実用紙サイズと１枚目実用紙サイズとが比較され、一致している限り、設定用紙サイズと実用紙サイズとに不一致（サイズエラー）が発生していても最終ページまで印字が継続される。つまり、サイズエラーが発生していても、実際に印字される用紙のサイズが統一されている場合は、得られた印字物の用紙サイズは統一されることになり、扱い易く見栄えも良い印字物を提供することができる。
【００５３】
次に、複数ページの印字データが印字されるジョブの実行に際し、ユーザーが設定した用紙のサイズと、実際に印字される用紙のサイズとに不一致（サイズエラー）が生じた場合の画像形成装置１の別の動作を、図４のフローチャートを参照して説明する。この実施形態では、サイズエラーが発生している場合は、給紙トレイへの正しいサイズの用紙セットを促すことを操作パネル１７０の表示部１７１等に表示するようになっている。
【００５４】
図４のステップＳ２１で印刷動作が開始されると、ステップＳ２２で実用紙サイズが検出され、ステップＳ２３で、検出された実用紙サイズと設定用紙サイズとを比較し、実用紙サイズと設定用紙サイズとが不一致かどうか、換言すればサイズエラーが発生しているかどうかが判断される。サイズエラーが発生していない場合（ステップＳ２３でＮＯ）、ステップＳ２５に進む。サイズエラーが発生している場合は（ステップＳ２３でＹＥＳ）、ステップＳ２４で、サイズエラーフラグを「発生」にしたのち、ステップＳ２５に進む。
【００５５】
ステップＳ２５では、１ページ目の印字データに対応する１枚目の用紙か否かが判定され、一枚目の用紙でなければ（ステップＳ２５でＮＯ）、ステップＳ２７に進む。１枚目の用紙であれば（ステップＳ２５でＹＥＳ）、ステップＳ２６で、１枚目実用紙サイズを記憶したのち、ステップＳ２７に進む。
【００５６】
ステップＳ２７では、サイズエラーフラグが「発生」になっているかどうかを調べ、「発生」になっていなければ（ステップＳ２７でＮＯ）、ステップＳ２８でその用紙に印字する。次いでステップＳ２９で、その用紙がジョブの最終ページを印字する最終用紙かどうかを調べ、最終用紙でなければ（ステップＳ２９でＮＯ）、ステップＳ２２に戻り次の用紙についてステップＳ２２からの処理を繰り返す。最終用紙であれば（ステップＳ２９でＹＥＳ）、ジョブを終了したから、ステップＳ３６に進み印字動作を停止する。
【００５７】
ステップＳ２７でサイズエラーフラグが「発生」になっている場合は（ステップＳ２７でＹＥＳ）、ステップＳ３０で、検出した実用紙サイズが１枚目実用紙サイズと一致しているかどうかを判断する。一致していなければ（ステップＳ３０でＮＯ）、ステップＳ３３に進む。一致している場合は（ステップＳ３０でＹＥＳ）、ステップＳ３１で、その用紙に印字し、ステップＳ３２で、その用紙がジョブの最終ページを印字する最終用紙かどうかを調べ、最終用紙でなければ（ステップＳ２２でＮＯ）、ステップＳ０２に戻り次の用紙についてステップＳ２２からの処理を繰り返す。最終用紙であれば（ステップＳ３２でＹＥＳ）、ステップＳ３３に進む。
【００５８】
ステップＳ３３では、用紙再セット通知フラグをセットし、ステップＳ３４で、その用紙への印字を行うことなく手差しトレー７０からの以降の給紙を停止し、ステップＳ３５で画像形成装置１内の用紙を全て排出したのち、ステップ３６で印字動作を停止する。
【００５９】
次いでステップＳ３７で、用紙再セット通知フラグがセットされているかどうかを調べ、セットされていれば（ステップＳ３７でＹＥＳ）、ステップＳ３８で正しいサイズの用紙を給紙トレー７０にセットするように操作パネル１７０の表示部１７１に表示する。用紙再セット通知フラグがセットされていない場合は（ステップＳ３７でＮＯ）、正しいサイズの用紙のセットを促す旨の表示は行わない。
【００６０】
このようにこの実施形態では、実用紙サイズが統一されていないため印字動作が停止したとき、給紙トレイに正しいサイズの用紙のセットを促すことが表示部１７１に表示されるから、ユーザーはサイズエラーがあったことを容易に認識してこれを解消することができる。また、実用紙サイズが統一されているため印字動作が継続して全ページの印字が終了したときも、給紙トレイに正しいサイズの用紙のセットを促す表示がなされることになるから、印字データを複数部印字するような場合、ユーザーは１部目の印字が終了したときにサイズエラーがあったことを容易に認識してこれを解消することができる。
【００６１】
なお、ユーザーが複数部の印字を行う場合、実用紙サイズが統一されているため印字動作が継続して全ページの印字が終了したときは、ユーザーが設定用紙サイズを誤って指定した可能性があるため、給紙トレイに正しいサイズの用紙のセットを促すのではなく、画像形成装置１が自動的に設定用紙サイズを実用紙サイズに変更して、以降の部の印字を行うようにしても良い。このための処理を図５のフローチャートに示す。
【００６２】
図５のフローチャートにおけるステップＳ４１は、図３のステップＳ１５の印刷動作の停止後に実行されるものである。
【００６３】
ステップＳ４１で、２部目以降の未印字の部が残っているかどうかを調べ、残っていなければ（ステップＳ４１でＮＯ）、何の処理もしない。未印字の部が残っていれば（ステップＳ４１でＹＥＳ）、ステップＳ４２で、設定用紙サイズを検出された実用紙サイズ（１枚目実用紙サイズ）で上書きした後、ステップＳ４３で次の部の印字を再開する。
【００６４】
このように、実用紙サイズが統一されているため印字動作を継続させて印字データの全ページの印字を終了したときに、未印字の次の部が残っている場合は、設定用紙サイズが不一致が検出されたときの実用紙サイズで書き換えられて、印字動作が再開されるから、サイズエラーを自動的に修正して適正な印字を行うことができる。
【００６５】
次に、複数ページの印字データが印字されるジョブの実行に際し、ユーザーが設定した用紙のサイズと、実際に印字される用紙のサイズとに不一致（サイズエラー）が生じた場合の画像形成装置１のさらに別の動作を、図６のフローチャートを参照して説明する。この実施形態では、サイズエラーが発生したときに実用紙サイズが統一されていれば印字を継続する設定が、予めユーザーにより行われている場合に限り、サイズエラーが発生しても印字を継続し、前記設定がなされていない場合は、サイズエラーが発生すると直ちに給紙等を停止して印字を停止するようになっている。
【００６６】
図６のステップＳ５１で印刷動作が開始されると、ステップＳ２２で実用紙サイズが検出され、ステップＳ５３で、検出された実用紙サイズと設定用紙サイズとを比較し、実用紙サイズと設定用紙サイズとが不一致かどうか、換言すればサイズエラーが発生しているかどうかが判断される。サイズエラーが発生していない場合（ステップＳ５３でＮＯ）、ステップＳ５５に進む。サイズエラーが発生している場合は（ステップＳ５３でＹＥＳ）、ステップＳ５４で、サイズエラーフラグを「発生」にしたのち、ステップＳ５５に進む。
【００６７】
ステップＳ５５では、１ページ目の印字データに対応する１枚目の用紙か否かが判定され、一枚目の用紙でなければ（ステップＳ５５でＮＯ）、ステップＳ５７に進む。１枚目の用紙であれば（ステップＳ５５でＹＥＳ）、ステップＳ５６で、１枚目実用紙サイズを記憶したのち、ステップＳ５７に進む。
【００６８】
ステップＳ５７では、サイズエラーフラグが「発生」になっているかどうかを調べ、「発生」になっていなければ（ステップＳ５７でＮＯ）、ステップＳ５８でその用紙に印字する。次いでステップＳ５９で、その用紙がジョブの最終ページを印字する最終用紙かどうかを調べ、最終用紙でなければ（ステップＳ５９でＮＯ）、ステップＳ５２に戻り次の用紙についてステップＳ５２からの処理を繰り返す。最終用紙であれば（ステップＳ５９でＹＥＳ）、ジョブを終了したから、ステップＳ６６に進み印字動作を停止する。
【００６９】
ステップＳ５７でサイズエラーフラグが「発生」になっている場合は（ステップＳ５７でＹＥＳ）、ステップＳ６０で、実用紙サイズが統一されていれば印字を継続することがユーザーにより設定されているかどうかを調べる。設定されていなければ（ステップＳ６０でＮＯ）、ステップＳ６４に進む。
【００７０】
設定されていれば（ステップＳ６０でＹＥＳ）、ステップＳ６１で、検出した実用紙サイズが１枚目実用紙サイズと一致しているかどうかを判断する。一致していなければ（ステップＳ６１でＮＯ）、ステップＳ６４に進む。一致している場合は（ステップＳ６１でＹＥＳ）、ステップＳ６２で、その用紙に印字し、ステップＳ６３で、その用紙がジョブの最終ページを印字する最終用紙かどうかを調べ、最終用紙でなければ（ステップＳ６３でＮＯ）、ステップＳ５２に戻り次の用紙についてステップＳ５２からの処理を繰り返す。最終用紙であれば（ステップＳ６３でＹＥＳ）、ステップＳ６４に進む。
【００７１】
ステップＳ６４では、その用紙への印字を行うことなく手差しトレー７０からの以降の給紙を停止し、ステップＳ６５で画像形成装置１内の用紙を全て排出したのち、ステップ６６で印字動作を停止する。
【００７２】
このようにこの実施形態では、実用紙サイズが統一されていると判定された場合は印字動作を継続させ、統一されていないと判定された場合は印字動作を停止させる制御を行わせるかどうかを、ユーザーが設定することができる。
【００７３】
次に、複数ページの印字データが印字されるジョブの実行に際し、ユーザーが設定した用紙のサイズと、実際に印字される用紙のサイズとに不一致（サイズエラー）が生じた場合の画像形成装置１のさらに別の動作を、図７のフローチャートを参照して説明する。この実施形態では、サイズエラーが発生し、かつユーザーによる設定用紙サイズよりも実用紙サイズが小さい場合は、ユーザーが誤ってサイズの小さい用紙を手差しトレー７０にセットした可能性があり、印字データを用紙に印字しきれず画像欠損を生じる恐れがあることから、実用紙サイズが統一されていても印字動作を停止し、実用紙サイズが設定用紙サイズ以上の場合にのみ印字を継続するようになっている。
【００７４】
図７のステップＳ７１で印刷動作が開始されると、ステップＳ７２で実用紙サイズが検出され、ステップＳ７３で、検出された実用紙サイズと設定用紙サイズとを比較し、実用紙サイズと設定用紙サイズとが不一致かどうか、換言すればサイズエラーが発生しているかどうかが判断される。サイズエラーが発生していない場合（ステップＳ７３でＮＯ）、ステップＳ７５に進む。サイズエラーが発生している場合は（ステップＳ７３でＹＥＳ）、ステップＳ７４で、サイズエラーフラグを「発生」にしたのち、ステップＳ７５に進む。
【００７５】
ステップＳ７５では、１ページ目の印字データに対応する１枚目の用紙か否かが判定され、一枚目の用紙でなければ（ステップＳ７５でＮＯ）、ステップＳ７７に進む。１枚目の用紙であれば（ステップＳ７５でＹＥＳ）、ステップＳ７６で、１枚目実用紙サイズを記憶したのち、ステップＳ７７に進む。
【００７６】
ステップＳ７７では、サイズエラーフラグが「発生」になっているかどうかを調べ、「発生」になっていなければ（ステップＳ７７でＮＯ）、ステップＳ７８でその用紙に印字する。次いでステップＳ７９で、その用紙がジョブの最終ページを印字する最終用紙かどうかを調べ、最終用紙でなければ（ステップＳ７９でＮＯ）、ステップＳ７２に戻り次の用紙についてステップＳ７２からの処理を繰り返す。最終用紙であれば（ステップＳ７９でＹＥＳ）、ジョブを終了したから、ステップＳ８６に進み印字動作を停止する。
【００７７】
ステップＳ７７でサイズエラーフラグが「発生」になっている場合は（ステップＳ７７でＹＥＳ）、ステップＳ８０で、設定されたサイズよりも実用紙サイズが小さいかどうかを調べる。小さければ（ステップＳ８０でＹＥＳ）、ステップＳ８４に進む。従ってこの場合は、印字が継続されることなく停止される。
【００７８】
設定されたサイズよりも実用紙サイズが小さくない場合は（ステップＳ８０でＮＯ）、ステップＳ８１で、検出した実用紙サイズが１枚目実用紙サイズと一致しているかどうかを判断する。一致していなければ（ステップＳ８１でＮＯ）、ステップＳ８４に進む。一致している場合は（ステップＳ８１でＹＥＳ）、ステップＳ８２で、その用紙に印字し、ステップＳ８３で、その用紙がジョブの最終ページを印字する最終用紙かどうかを調べ、最終用紙でなければ（ステップＳ８３でＮＯ）、ステップＳ８２に戻り次の用紙についてステップＳ８２からの処理を繰り返す。最終用紙であれば（ステップＳ８３でＹＥＳ）、ステップＳ８４に進む。
【００７９】
ステップＳ８４では、その用紙への印字を行うことなく手差しトレー７０からの以降の給紙を停止し、ステップＳ８５で画像形成装置１内の用紙を全て排出したのち、ステップ８６で印字動作を停止する。
【００８０】
このようにこの実施形態では、設定用紙サイズよりも実用紙サイズが小さい場合は、印字データを用紙に印字しきれない恐れがあることから、印字動作を停止させることで、これを未然に回避することができる。
【符号の説明】
【００８１】
１      画像形成装置
２ａ〜２ｅ  給紙ローラ
３０、６１、６２  センサ
３１    搬送ローラー
２０    プリンタ部
４０    スキャナ部
７０    手差しトレー
１１０  ＣＰＵ
１２０  ＲＯＭ
【図１】
2018069694.tif 000003
【図２】
2018069694.tif 000004
【図３】
2018069694.tif 000005
【図４】
2018069694.tif 000006
【図５】
2018069694.tif 000007
【図６】
2018069694.tif 000008
【図７】
2018069694.tif 000009